(57)【要約】【課題】使用者にとって移動し易いシューズを提供する。【解決手段】本発明に係るシューズ１００は、ミッドソール部２と、ミッドソール部２の底面の踏まず部を含む領域に設けられミッドソール部２よりも硬い第１硬質部材５とを有し、第１硬質部材５は前後方向における中間部に頂部を有し、頂部はミッドソール部２の底面を下側から支持することを特徴とする。ミッドソール部２の硬度は、アスカーＣ硬度で５５〜７５度であることが好ましく、５５〜６５度であることがより好ましい。また第１硬質部材５の硬度は、アスカーＣ硬度で６０〜８０度であることが好ましく、７０〜８０度であることがより好ましい。【選択図】図１
2013013572.tif 000002
【特許請求の範囲】
【請求項１】
ソール部と、前記ソール部の底面の踏まず部を含む領域に設けられ前記ソール部よりも硬い第１硬質部材とを有し、
前記第１硬質部材は、前後方向における中間部に頂部を有し、
前記頂部は、前記ソール部の底面を下側から支持することを特徴とするシューズ。
【請求項２】
前記第１硬質部材は、前側の第１斜面及び後側の第２斜面を有している請求項１に記載のシューズ。
【請求項３】
前記第１硬質部材は前側端部及び後側端部を有し、前記頂部から前記前側端部までの第１直線距離は、前記頂部から前記後側端部までの第２直線距離よりも長い請求項１または２に記載のシューズ。
【請求項４】
前記領域は、第５中足骨の立方骨の進行方向側の一端部から第１中足骨を含む領域に対応している請求項１〜３のいずれか１項に記載のシューズ。
【請求項５】
前記第１硬質部材の下側の一部又は全部に第２硬質部材が設けられている請求項１〜４のいずれか１項に記載のシューズ。
【発明の詳細な説明】
【技術分野】
【０００１】
本発明は、各種スポーツや運動或いは通常の歩行等に使用されるシューズに関するものである。
【背景技術】
【０００２】
機能性の高いシューズは若年層から中年層又は高年層まで広く普及しており、使用目的に関しても、例えば市街地での買い物から、ドライブ、ランニング、ウォーキング等の運動と幅広く使われている。シューズの使用環境についても舗装道路の歩行はもとより、山道や砂利道の散策或いは各種スポーツでの使用など多岐に及んでいる。
【０００３】
各種スポーツや運動のために使用されるシューズは、接地部分であるアウトソール部と、このアウトソール部の上部に設けられ、使用者の足の甲を覆うアッパー部（甲被本体部）と、アウトソール部の上面側であって、アッパー部の内側に収納されるインソール部とを主に備えている。この種のシューズとしては、運動時及び歩行時の足の衝撃を緩和させたり、足の疲労を低減させたり、動作をし易くしたりするために、様々な技術が提案されている。例えば各種スポーツや運動等の過酷な使用環境下では、靴底に対して体重の数倍の荷重が局部的に作用することから、足への負担を極力低減できるものが望まれている。
【０００４】
例えば特許文献１では、靴の土踏まず部にシャンク部を形成することが提案されている。このシャンク部は、靴底のミッドソールの下面位置において平行四辺形の細長いプレート状に形成されており、人の前足が自然な歩行運動を行うことができるようにサポートするものである。
【０００５】
また特許文献２では、インソール本体の土踏まず部に対応する部位に、シューズの長さ方向に沿って凸部を形成することが提案されている。この凸部は、インソール本体の表面から約５ｍｍ程度突出した状態で形成されており、足裏に効率よく刺激を付与して、効率よく運動のエネルギーロスを減少させると共に、プレイヤーの動作をサポートするものである。
【０００６】
さらに特許文献３では、ミッドソールの中足部の下方に、凸状の第１及び第２強化部材を設けることが提案されている。この第１及び第２強化部材は、アウトソールとミッドソールとの間に挟持されており、ミッドソール２の下面に形成されたアーチ部に荷重負荷がかかった場合に、第１強化部材の第１変形部及び第２強化部材の第２変形部によりアーチ部を支持するものである。これら２つの変形部は概ね一体となって撓むので、両変形部が複合梁のように機能して曲げ剛性が増大する。それにより、過大な荷重が足に負荷された場合でも、アーチ部の撓みが抑制されて当該アーチ部の急激な反力の増大が生じ難くなり、使用者はアーチ部における突き上げを感じ難くなる。
【先行技術文献】
【特許文献】
【０００７】
【特許文献１】特開２００２−２６２９０３号公報
【特許文献２】特開２０１０−１１５２３４号公報
【特許文献３】国際公開第２００７／０４６２７７号
【発明の概要】
【発明が解決しようとする課題】
【０００８】
しかしながら、上述の特許文献１〜３に開示された技術は、使用者が前に移動し易くなることを目的とするものではない。各種スポーツや長時間の運動及び歩行においては、長時間に及ぶ筋肉のエネルギー消費を極力抑えつつ、効率よく楽に移動できることが強く望まれている。
【０００９】
本発明はかかる事情に鑑みてなされたものであり、本発明の目的は使用者にとって移動し易いシューズを提供することである。
【課題を解決するための手段】
【００１０】
本発明に係るシューズは、ソール部と、ソール部の底面の踏まず部を含む領域に設けられソール部よりも硬い第１硬質部材とを有し、第１硬質部材は前後方向における中間部に頂部を有し、頂部はソール部の底面を下側から支持することを要旨とする。ソール部はミッドソール部及びアウトソール部を含む概念である。したがって、本発明において第１硬質部材はミッドソールの底面に設けてもよいし、アウトソール部の底面に設けてもよい。
【００１１】
本発明に係るシューズにおいては、ソール部よりも硬い第１硬質部材が踏まず部を含む領域に設けられる。当該第１硬質部材はその中間部に頂部を有しており、第１硬質部材の頂部がソール部の底面を支持するようになっている。
【００１２】
第１硬質部材が前側の第１斜面及び後側の第２斜面を有していれば、足圧中心（足の圧力分布の中心）が第１硬質部材の頂部を容易に越えることができるようになる。
【００１３】
第１硬質部材は前側端部及び後側端部を有し、頂部から前側端部までの第１直線距離Ｌ１と頂部から後側端部までの第２直線距離Ｌ２との比（Ｌ１／Ｌ２）が１以上であることが好ましく、１．５〜５．０であることがより好ましい。
【００１４】
上記領域は、第５中足骨の立方骨の進行方向側の一端部から第１中足骨を含む領域に対応していることが好ましい。
【００１５】
第１硬質部材の下側の一部又は全部に第２硬質部材が設ければ、接地時の第２硬質部材からの反発力を歩行に有効に利用でき、足圧中心が第１硬質部材の頂部を容易に越えることができるようになる。また、第２硬質部材によって、接地時におけるミッドソール部や第１硬質部材の捩れ（進行方向と交差する方向における捩れ）を抑制または防止することができる。
【発明の効果】
【００１６】
本発明によれば、歩行又は走行中の接地から離地までの立脚期において足圧中心が第１硬質部材の頂部を越えると、使用者の体重移動が前方向にスムーズに進行する。これにより、身体が前に移動し易くなり、キック力をあまり使わずとも進むことができる。したがって、地面をキックする際の筋肉のエネルギー消費を抑制することができるので、効率よく楽に長い距離を歩行したり走行したりすることができる。
【図面の簡単な説明】
【００１７】
【図１】本実施形態に係るシューズの全体構成を示す斜視図である。
【図２】第１硬質部材がミッドソール部の底面に設けられている状態を示す説明図である。
【図３】第１硬質部材の側面図である。
【図４】第１硬質部材が設けられる範囲を示す説明図である。
【図５】第２硬質部材が靴裏に設けられている状態を示す斜視図である。
【図６】（ａ）〜（ｄ）は実施例又は比較例に係る被験者の足圧分布を示す図である。
【発明を実施するための形態】
【００１８】
本実施形態に係るシューズは、ソール部とこのソール部の底面の踏まず部を含む領域に設けられソール部よりも硬い第１硬質部材とを有している。第１硬質部材は前後方向における中間部に頂部を有し、この頂部はソール部の底面を下側から支持する。なお、上記ソール部は、「ミッドソール部」或いは「アウトソール部」と称呼されることがあるが、いずれにも適用可能である。以下の実施形態ではミッドソール部として説明する。
【００１９】
このシューズによれば、歩行又は走行中の接地から離地までの立脚期において、身体が前に移動し易くなり、キック力をあまり使わずとも進むことができる。それにより、地面をキックする際の筋肉のエネルギー消費を抑制することができるので、効率よく楽に長い距離を歩行したり走行したりすることができる。
【００２０】
以下、本実施形態において上記のような効果を奏するためのシューズの構成について図面を参照しながら詳細に説明する。
【００２１】
１．シューズの全体構成
図１は本実施形態に係るシューズ１００の全体構成を示す斜視図である。
【００２２】
図１に示すように、本実施形態に係るシューズ１００は、各種スポーツや運動或いは歩行等に使用されるものであり、皮革、合成皮革、任意の繊維や編物等の素材やこれらの素材の組み合わせからなるアッパー部（甲被本体部）１とミッドソール部２とを一体に接着してなるものである。
【００２３】
アッパー部１に先端が縫い付けられたタング部３は、靴紐４の下を通って足の甲部分を覆うように設けられている。
【００２４】
ミッドソール部２の材質としては、摩擦抵抗の高いゴム又はゴム様弾性材料を用いることが好ましく、例えば発泡ゴム類、発泡ウレタン、ＥＶＡ（エチレンビニールアセテート）等軟質弾性部材を好適に用いることができる。
【００２５】
ミッドソール部２の硬度は、アスカーＣ硬度で５５〜７５度であることが好ましく、５５〜６５度であることがより好ましい。なおミッドソール部２の表面又は裏面には異種材料からなる他の層を積層させてもよい。
【００２６】
ミッドソール部２の底面の踏まず部を含む領域に、ミッドソール部２よりも硬い第１硬質部材５が設けられる。なお、踏まず部を含む上記領域の詳細については後述する。
【００２７】
ミッドソール部２よりも硬い第１硬質部材５としては、アスカーＣ硬度で６０〜８０度であるものが好ましく、７０〜８０度であるものがより好ましく、その材質としては例えば発泡ゴム類、発泡ウレタン、ＥＶＡ（エチレンビニールアセテート）、非発泡のゴム類等の硬質弾性部材等が挙げられる。
【００２８】
また、第１硬質部材５の下側の一部又は全部に第２硬質部材６が設けられていてもよいが、その詳細については後述する。
【００２９】
ミッドソール部２の後側には、第１硬質部材５と同じ材料からなる踵部材７が設けられていてもよい。また、シューズ裏面には靴底８が設けられていてもよい。なお靴底８は爪先部分まで捲き上げられており、使用者がたとえ爪先を擦るように歩いた場合でも爪先部分が損傷を受けることが抑制されている。同図において図示していないが、アッパー部１の表面や靴底８に通気孔を設けてもよい。
【００３０】
２．第１硬質部材の構成
図２は第１硬質部材５がミッドソール部２の底面に設けられている状態を示す説明図であり、図３は第１硬質部材５の側面図であり、図４は第１硬質部材５が設けられる範囲を示す説明図である。図２において、進行方向の前側方向をＡとし、その後側方向をＡ’とする。以後の図においても同様である。
【００３１】
図３に示すように、第１硬質部材５は略凸状に形成されており、進行方向（前後方向）における中間部に頂部５１を有し、前側端部５２及び後側端部５３を有している。第１硬質部材５において頂部５１の部位が最厚部となっており、その厚さは３ｍｍ〜２５ｍｍであることが好ましく、５ｍｍ〜１０ｍｍであることがより好ましい。ただし、野球スパイク、サッカーシューズ等の運動用特殊シューズに関しては、ミッドソール部２自体が薄いため、頂部５１の厚さを１．０ｍｍ程度とすることも考えられる。
【００３２】
頂部５１と前側端部５２とを結ぶ線分が第１斜面５４となっており、頂部５１と後側端部５３とを結ぶ線分が第２斜面５５となっている。なお、第１斜面５４及び第２斜面５５は、平面であっても湾曲面であってもよい。
【００３３】
本実施形態において、頂部５１から前側端部５２までの第１直線距離Ｌ１と頂部５１から後側端部５３までの第２直線距離Ｌ２との比（Ｌ１／Ｌ２）が１以上であることが好ましく、１．５〜５．０であることがより好ましい。これにより、足圧中心（足の圧力分布の中心）が第１硬質部材５の頂部５１を越えた後、使用者の体重移動が前方向にスムーズに進行する。
【００３４】
図２に戻り、上記のような第１硬質部材５は、その頂部５１がミッドソール部２の底面を下側から支持するようにミッドソール部２の底面に密着して設けられる。なお、本実施形態では第１硬質部材５をミッドソール部２の底面に密着して設けるように構成したが、これに限定されるものではなく、頂部５１がミッドソール部２の底面を下側から支持することができる構造であればよい。例えば、第１硬質部材５の上面とミッドソール部２の下面との間に薄片等を介挿させたものや、頂部５１のみがミッドソール部２の底面に接触しており、第１硬質部材５の他の部位とミッドソール部２の下面との間に空隙が存在するようなものも本発明の技術的範囲に包含される。また、ミッドソール部２が非常に薄い場合は頂部５１がミッドソール部２の上面直下にまで達する場合もあり、斯かる場合も当然ながら本発明の技術的範囲に包含される。
【００３５】
続いて、第１硬質部材５が設けられる領域は、図４に示すように、足裏の領域ＦＲに対応する領域である。この領域ＦＲは、第５中足骨３１の立方骨３２側の端から第１中足骨３３の中央付近までの範囲からなる。なお、領域ＦＲには楔状骨３４の全部又は一部と舟状骨３５の一部とが含まれる。
【００３６】
このように本実施形態では、ミッドソール部２の底面の踏まず部を含む領域（領域ＦＲに対応する領域）に、ミッドソール部２の底面を下側からその頂部５１により支持してミッドソール部２よりも硬い第１硬質部材５を設けることによって、以下の効果を奏することができる。
【００３７】
すなわち、歩行又は走行中の接地から離地までの立脚期において、足圧中心が第１硬質部材５の頂部５１を越えると、第１硬質部材５の第１斜面５４が爪先方向へ傾斜していることによって、使用者の体重移動が前方向にスムーズに進行する。つまり、中足骨（第１中足骨３３及び第５中足骨３１）が第１硬質部材５の頂部５１を支点としてスムーズに前に倒れることによって、前への体重移動が促進されるようになっている。
【００３８】
これにより、立脚期において身体が前に移動し易くなり、キック力をあまり使わずとも前に進むことができる。したがって、地面をキックする際の筋肉のエネルギー消費を抑制することができるので、効率よく楽に長い距離を歩行したり走行したりすることができる。
【００３９】
３．第２硬質部材について
図５は第２硬質部材６が靴裏に設けられている状態を示す斜視図である。
【００４０】
図５に示すように、第２硬質部材６は第１硬質部材５の下側の一部の領域に設けられている。この第２硬質部材６の材質としては、熱可塑性ポリウレタン（ＴＰＵ）等を採用できる。
【００４１】
第２硬質部材６を設けることで、接地時の第２硬質部材６からの反発力を歩行に有効に利用でき、上述の足圧中心が第１硬質部材５の頂部５１を容易に越えることができるようになる。また、第２硬質部材６によって、接地時におけるミッドソール部２や第１硬質部材５の捩れ（進行方向と交差する方向における捩れ）を抑制または防止することができる。なお、第２硬質部材６を第１硬質部材５の下側の全部の領域に設けてもよい。
【００４２】
本発明はもとより上記実施形態によって制限を受けるものではなく、本発明の趣旨に適合し得る範囲で適当に変更を加えて実施することも勿論可能であり、それらはいずれも本発明の技術的範囲に包含される。
【００４３】
なお、本実施形態ではスポーツシューズ又は運動シューズについて説明したが、ビジネス用靴等の他の靴にも本発明を同様に適用することができる。この場合にも立脚期において身体が前に移動し易くなり、使用者はキック力をあまり使わずとも前に進むことができる。
【００４４】
また、本実施形態では第１硬質部材５の形状を略三角形の凸形状としたが、これに限定されるものではなく、ミッドソール部２の底面を支持し得る頂部を有していれば、例えばＬ字形状のものや菱形状のものであってもよい。
【実施例】
【００４５】
以下、実施例を挙げて本発明をより具体的に説明する。本発明は以下の実施例によって制限を受けるものではなく、前記、後記の趣旨に適合し得る範囲で適当に変更を加えて実施することも勿論可能であり、それらはいずれも本発明の技術的範囲に包含される。
【００４６】
本実施形態に係るシューズ１００を着用した場合（以下、実施例と称する）と、第１硬質部材５が設けられていないシューズを着用した場合（以下、比較例と称する）とにおいて、トレッドミル（ランニングマシン）上を時速約８ｋｍで走行中の足圧分布をそれぞれ取得した。
【００４７】
図６（ａ）は実施例に係る被験者Ｈの足圧分布を示す図であり、図６（ｂ）は比較例に係る被験者Ｈの足圧分布を示す図である。また、図６（ｃ）は実施例に係る被験者Ｉの足圧分布を示す図であり、図６（ｄ）は比較例に係る被験者Ｉの足圧分布を示す図である。なお、図６（ａ）〜（ｄ）は踵接地から爪先離地までの接地期の中間時点での足圧分布を示す。
【００４８】
同図から分かるように、比較例に比べて実施例では前足部に圧力が大きくかかっており、踵部の圧力も低くなっていることから、早い段階で前足部に体重移動が促進されていると言える。なおこの時の前足部の荷重値は、被験者Ｈの実施例において１２３．０４ｋｇであったのに対し、比較例においては１１３．８４ｋｇであった。また、被験者Ｉの実施例において１１９．０３ｋｇであったのに対し、比較例においては９７．７５ｋｇであった。
【符号の説明】
【００４９】
１  アッパー部
２  ミッドソール部
３  タング部
４  靴紐
５  第１硬質部材
６  第２硬質部材
３１  第５中足骨
３２  立方骨
３３  第１中足骨
５１  頂部
５２  前側端部
５３  後側端部
５４  第１斜面
５５  第２斜面
１００  シューズ
Ａ  前側方向
Ａ’  後側方向
ＦＲ  領域
Ｌ１  第１直線距離
Ｌ２  第２直線距離
【図１】
2013013572.tif 000003
【図２】
2013013572.tif 000004
【図３】
2013013572.tif 000005
【図４】
2013013572.tif 000006
【図５】
2013013572.tif 000007
【図６】
2013013572.tif 000008